(57)【要約】【課題】プロセスカラー印刷とスポットカラー印刷とを行ない、乾燥工程を備えたインクジェットプリンタの製造コストを低減させるとともに、高速、高品質の印刷を行なうことができるインクジェットプリンタおよび該インクジェットプリンタを使用した印刷システムを提供すること。【解決手段】プリントヘッドが、相対的に移動する記録媒体に対して、プロセスカラーインクジェットヘッド、放射線硬化インクジェットヘッド、放射線発振器の順に配置されていることから、放射線硬化インクを硬化させるとともに、その余熱でプロセスカラーインクの乾燥を行なうことにより高速、高品質の印刷を行なうインクジェットプリンタを提供することが可能となる。【選択図】    図１
2010214761.tif 000002
【特許請求の範囲】
【請求項１】
記録媒体に印刷を行なうためのインクジェットプリンタであって、前記記録媒体に対して相対的に移動することにより印刷を行なうプリントヘッドを備え、
前記プリントヘッドが、
プロセスカラーインクを吐出するノズルを備えたプロセスカラーインクジェットヘッドと、
放射線硬化インクを吐出するノズルを備えた放射線硬化インクジェットヘッドと、
前記放射線硬化インクジェットヘッドによって吐出された放射線硬化インクを硬化させるための放射線発振器と、
を備え、
前記プリントヘッドが、前記記録媒体に対して、前記プロセスカラーインクジェットヘッド、前記放射線硬化インクジェットヘッド、前記放射線発振器の順に構成されていること、
を特徴とするインクジェットプリンタ。
【請求項２】
請求項１に記載のインクジェットプリンタであって、
前記放射線硬化インクがブラックインクであることを特徴とするインクジェットプリンタ。
【請求項３】
請求項１に記載のインクジェットプリンタであって、
前記放射線硬化インクが特色インクであることを特徴とするインクジェットプリンタ。
【請求項４】
請求項１に記載のインクジェットプリンタであって、
前記放射線硬化インクが紫外線硬化インクであり、前記放射線発振器が紫外線照射ランプであることを特徴とするインクジェットプリンタ。
【請求項５】
請求項１に記載のインクジェットプリンタであって、
前記放射線硬化インクが赤外線硬化インクであり、前記放射線発振器が赤外線照射ランプであることを特徴とするインクジェットプリンタ。
【請求項６】
請求項１に記載のインクジェットプリンタであって、
前記放射線硬化インクが電子線硬化インクであり、前記放射線発振器が電子線ビーム照射器であることを特徴とするインクジェットプリンタ。
【請求項７】
請求項１に記載のインクジェットプリンタであって、
前記プリントヘッドが、複数の前記プロセスカラーインクジェットヘッド、複数の放射線硬化インクジェットヘッド、および前記放射線発振器と、を前記記録媒体の搬送幅に合わせて直交方向に配置したワンパス方式であることを特徴とするインクジェットプリンタ。
【請求項８】
請求項１に記載のインクジェットプリンタであって、
前記プリントヘッドが、前記記録媒体の移動方向に対して直交方向に往復動作可能なシャトル方式であることを特徴とするインクジェットプリンタ。
【請求項９】
印刷システムであって、
ページデータから印刷データを作成するコントローラと、
前記印刷データに基づいて記録媒体に印刷を行なうインクジェットプリンタであって、前記記録媒体に対して相対的に移動することにより印刷を行なうプリントヘッドを備え、前記プリントヘッドが、プロセスカラーインクを吐出するノズルを備えたプロセスカラーインクジェットヘッドと、放射線硬化インクを吐出するノズルを備えた放射線硬化インクジェットヘッドと、前記放射線硬化インクジェットヘッドによって吐出された放射線硬化インクを硬化させるための放射線発振器と、を備え、前記プリントヘッドが、前記記録媒体に対して、前記プロセスカラーインクジェットヘッド、前記放射線硬化インクジェットヘッド、前記放射線発振器の順に構成されているインクジェットプリンタと、
を備え、
前記コントローラは、
前記ページデータに基づいて、前記印刷データとして、前記プロセスカラーインクジェットヘッドで印刷を行なうためのプロセスカラーインク印刷データおよび前記放射線硬化インクジェットヘッドで印刷を行なう放射線硬化インク印刷データと、を作成するラスタライズ処理手段と、
前記印刷データを前記インクジェットプリンタへ出力する出力手段と、
を備え、
前記インクジェットプリンタは、
前記出力手段から出力された印刷データを取得する印刷データ取得手段と、
前記印刷データとして取得した前記プロセスカラーインク印刷データに基づいて前記インクジェットプリンタの前記プロセスカラーインクジェットヘッドを駆動するとともに、前記放射線硬化インク印刷データに基づいて前記インクジェットプリンタの前記放射線硬化インクジェットヘッドを駆動するプリンタヘッド駆動手段と、
前記放射線硬化インクジェットヘッドによる印刷に対応して前記放射線発振器を作動させる放射線発振器作動手段と、
を備えることを特徴とする印刷システム。
【請求項１０】
請求項９に記載の印刷システムであって、前記ラスタライズ処理手段は、
ページ記述言語で記述された前記ページデータに基づいて、イメージオブジェクトをプロセスカラーインク印刷データとして作成し、テキストオブジェクトを放射線硬化インク印刷データとして作成すること、
を特徴とする印刷システム。
【請求項１１】
請求項９に記載の印刷システムであって、前記ラスタライズ処理手段は、
分版済みの前記ページデータに基づいて、プロセスカラー版のページデータをプロセスカラーインク印刷データとして作成し、スポットカラー版のページデータを放射線硬化インク印刷データとして作成すること、
を特徴とする印刷システム。
【発明の詳細な説明】
【技術分野】
【０００１】
ＹＭＣＫの４色を印刷するためのインクジェットヘッドと、放射線硬化型インクによる印刷を行なうためのインクジェットヘッドを備えたプリントヘッドを有するインクジェットプリンタ、および該インクジェットプリンタを使用した印刷システムに関する。
【背景技術】
【０００２】
インクジェットプリンタにおいて、ＹＭＣＫ（イエロー、マゼンダ、シアン、ブラック）の４色による印刷（プロセスカラー印刷と称する）を行なうためのインクジェットヘッドと、もう一色、例えば特色インクによる印刷（スポットカラー印刷と称する）を行なうためのインクジェットヘッドとを備えた形式のインクジェットプリンタが周知である。
【０００３】
インクジェットプリンタにおけるスポットカラーとしては、グリーンやオレンジなどの他に、プロセスカラー印刷の黒インクとは異なる種類の黒インクが使用されることがある。
【０００４】
特許文献１に記載のインクジェット画像形成装置は、顔料系の黒インクを含むカラー記録ヘッドと、染料系の黒インクにより印刷を行なうライン式の第２記録ヘッドとを備えており、カラー印刷を行なう際はカラー記録ヘッドによるＹＭＣＫ印刷を行ない、モノクロ印刷を行なうときは第２記録ヘッドによるＫ印刷を行なうことが開示されている。
【０００５】
特許文献２に記載のインクジェット記録装置は、水溶性染料の黒インクノズルと顔料の黒インクノズルとを有し、記録データを黒画像データとカラー画像データとに分離して、紙種情報に従って、水溶性染料の黒インクと顔料の黒インクとの吐出を同時に、もしくは選択的に行うことが開示されている。
【先行技術文献】
【特許文献】
【０００６】
【特許文献１】特開平１１−２７７７７３
【特許文献２】特開２００６−１６８３７０
【発明の概要】
【発明が解決しようとする課題】
【０００７】
しかし、特許文献１に記載の技術では、カラー記録ヘッドと第２記録ヘッドとをそれぞれ独立して備える必要があるため、インクジェットプリンタの製造コストが増大するという問題があった。
【０００８】
特許文献２に記載の技術では、黒画像データとカラー画像データが混在している場合は、Ｋ（黒）印刷時に水溶性染料の黒インクのみの記録を行なうので、顔料の黒インクを搭載するコストが無駄になるという問題があった。
【０００９】
また、特許文献２に記載の技術では、Ｋ印刷を行なうに際して、水溶性染料の黒インクと顔料の黒インクとが混在するようにインクを吐出することも可能であるが、その場合色としては同じ黒であったとしても、インクとしては水溶性のＫインクと顔料のＫインクとは色合いが異なることから、Ｋ印刷の品質が低下するという問題があった。
【００１０】
加えて、特許文献２に記載の技術では、黒以外の特色を使用できないという問題もあった。
【００１１】
また、インクジェットプリンタにおいて高速印刷を行なうためには、記録媒体に吐出したインクを乾燥させる構成を必要とするが、そのためには別途ヒーターなどの乾燥手段を必要とするため、コストが上昇するという問題があった。
【００１２】
そこで、本発明は、プロセスカラー印刷とスポットカラー印刷とを行ない、乾燥工程を備えたインクジェットプリンタの製造コストを低減させるとともに、高速、高品質の印刷を行なうことができるインクジェットプリンタおよび該インクジェットプリンタを使用した印刷システムを提供することを目的としている。
【課題を解決するための手段】
【００１３】
かかる課題を解決する為に、請求項１に係る発明は、記録媒体に印刷を行なうためのインクジェットプリンタであって、前記記録媒体に対して相対的に移動することにより印刷を行なうプリントヘッドを備え、前記プリントヘッドが、プロセスカラーインクを吐出するノズルを備えたプロセスカラーインクジェットヘッドと、放射線硬化インクを吐出するノズルを備えた放射線硬化インクジェットヘッドと、前記放射線硬化インクジェットヘッドによって吐出された放射線硬化インクを硬化させるための放射線発振器と、を備え、前記プリントヘッドが、前記記録媒体に対して、前記プロセスカラーインクジェットヘッド、前記放射線硬化インクジェットヘッド、前記放射線発振器の順に構成されていること、を特徴としている。
【００１４】
また請求項２に係る発明は、請求項１に記載のインクジェットプリンタであって、前記放射線硬化インクがブラックインクであることを特徴としている。
【００１５】
更に請求項３に係る発明は、請求項１に記載のインクジェットプリンタであって、前記放射線硬化インクが特色インクであることを特徴としている。
【００１６】
また請求項４に係る発明は、請求項１に記載のインクジェットプリンタであって、前記放射線硬化インクが紫外線硬化インクであり、前記放射線発振器が紫外線照射ランプであることを特徴としている。
【００１７】
請求項５に係る発明は、請求項１に記載のインクジェットプリンタであって、前記放射線硬化インクが赤外線硬化インクであり、前記放射線発振器が赤外線照射ランプであることを特徴としている。
【００１８】
加えて請求項６に係る発明は、請求項１に記載のインクジェットプリンタであって、前記放射線硬化インクが電子線硬化インクであり、前記放射線発振器が電子線ビーム照射器であることを特徴としている。
【００１９】
また請求項７に係る発明は、請求項１に記載のインクジェットプリンタであって、前記プリントヘッドが、複数の前記プロセスカラーインクジェットヘッド、複数の放射線硬化インクジェットヘッド、および前記放射線発振器と、を前記記録媒体の搬送幅に合わせて直交方向に配置したワンパス方式であることを特徴としている。
【００２０】
更に請求項８に係る発明は、請求項１に記載のインクジェットプリンタであって、前記プリントヘッドが、前記記録媒体の移動方向に対して直交方向に往復動作可能なシャトル方式であることを特徴としている。
【００２１】
また請求項９に係る発明は、印刷システムであって、ページデータから印刷データを作成するコントローラと、前記印刷データに基づいて記録媒体に印刷を行なうインクジェットプリンタであって、前記記録媒体に対して相対的に移動することにより印刷を行なうプリントヘッドを備え、前記プリントヘッドが、プロセスカラーインクを吐出するノズルを備えたプロセスカラーインクジェットヘッドと、放射線硬化インクを吐出するノズルを備えた放射線硬化インクジェットヘッドと、前記放射線硬化インクジェットヘッドによって吐出された放射線硬化インクを硬化させるための放射線発振器と、を備え、前記プリントヘッドが、前記記録媒体に対して、前記プロセスカラーインクジェットヘッド、前記放射線硬化インクジェットヘッド、前記放射線発振器の順に構成されているインクジェットプリンタと、を備え、前記コントローラは、前記ページデータに基づいて、前記印刷データとして、前記プロセスカラーインクジェットヘッドで印刷を行なうためのプロセスカラーインク印刷データおよび前記放射線硬化インクジェットヘッドで印刷を行なう放射線硬化インク印刷データと、を作成するラスタライズ処理手段と、前記印刷データを前記インクジェットプリンタへ出力する出力手段と、を備え、前記インクジェットプリンタは、前記出力手段から出力された印刷データを取得する印刷データ取得手段と、前記印刷データとして取得した前記プロセスカラーインク印刷データに基づいて前記インクジェットプリンタの前記プロセスカラーインクジェットヘッドを駆動するとともに、前記放射線硬化インク印刷データに基づいて前記インクジェットプリンタの前記放射線硬化インクジェットヘッドを駆動するプリンタヘッド駆動手段と、前記放射線硬化インクジェットヘッドによる印刷に対応して前記放射線発振器を作動させる放射線発振器作動手段と、を備えることを特徴としている。
【００２２】
請求項１０に係る発明は、請求項９に記載の印刷システムであって、前記コントローラのラスタライズ手段は、ページ記述言語で記述された前記ページデータに基づいて、イメージオブジェクトをプロセスカラーインク印刷データとして作成し、テキストオブジェクトを放射線硬化インク印刷データとして作成すること、を特徴としている。
【００２３】
加えて請求項１１に係る発明では、請求項９に記載の印刷システムであって、前記コントローラのラスタライズ手段は、分版済みの前記ページデータに基づいて、プロセスカラー版のページデータをプロセスカラーインク印刷データとして作成し、スポットカラー版のページデータを放射線硬化インク印刷データとして作成すること、を特徴としている。
【発明の効果】
【００２４】
請求項１乃至８に記載のインクジェットプリンタは、プリントヘッドが、相対的に移動する記録媒体に対して、プロセスカラーインクジェットヘッド、放射線硬化インクジェットヘッド、放射線発振器の順に配置されていることから、プリントヘッドの追加やインクホースの余計な取り回しなどを考慮せずとも良いので、インクジェットプリンタの製造コストを低減することができる。さらに、記録媒体に対してプロセスカラー印刷と放射線硬化インクによるスポットカラー印刷とを行なうことができ、プリントヘッドに放射線発振器が搭載されているので、放射線硬化インクを硬化させるとともに、その余熱でプロセスカラーインクの乾燥を行なうことにより高速、高品質の印刷を行なうインクジェットプリンタを提供することが可能となる。
【００２５】
請求項９に記載の印刷システムは、印刷データとして、プロセスカラーインクで印刷を行なうプロセスカラーインク印刷データと放射線硬化インクで印刷を行なう放射線硬化インク印刷データとを作成するラスタライズ手段を備えたコントローラと、相対的に移動する記録媒体に対して、プロセスカラーインクジェットヘッド、放射線硬化インクジェットヘッド、放射線発振器の順に配置されているプリントヘッドを備えたインクジェットプリンタと、から構成されているので、ページデータに基づいて作成された印刷データによってプロセスカラー印刷および放射線硬化インクによるスポットカラー印刷を行なうことができ、高速、高品質の印刷を行なう印刷システムを提供することが可能となる。
【００２６】
請求項１０に記載の印刷システムは、画像等のイメージはプロセスカラー印刷が行なわれ、テキストについては放射線硬化インク印刷が行なわれるので、高品質の印刷を実現することが可能となる。
【００２７】
請求項１１に記載の印刷システムは、分版されたページデータのうちＣＭＹＫ版についてプロセスカラー印刷が行なわれ、特色版については放射線硬化インク印刷が行なわれるので、高品質の印刷を実現することが可能となる。
【図面の簡単な説明】
【００２８】
【図１】本発明におけるインクジェットプリンタのプリントヘッド構造の概要図である。
【図２】図１に示したプリントヘッド１を利用して記録媒体３に対して印刷を行なう際の動作を説明するための図である。
【図３】本発明におけるプリントヘッドをワンパスタイプのインクジェットプリンタに適用した場合を説明するための図である。
【図４】本発明におけるプリントヘッドをシャトルタイプのインクジェットプリンタに適用した場合を説明するための図である。
【図５】印刷システム１０００を説明するための図である。
【図６】印刷システム１０００の動作を説明するためのフローチャートである。
【発明を実施するための形態】
【００２９】
以下、図面を利用しながら、本発明の実施形態について、説明を行なう。
【実施例１】
【００３０】
第１実施形態は、プロセスカラー印刷インクジェットヘッドと、放射線硬化インク印刷インクジェットヘッド、放射線発振器とを備えたプリントヘッドを有するインクジェットプリンタである。
【００３１】
図１は、本発明におけるインクジェットプリンタのプリントヘッド構造の概要図である。
【００３２】
図１に示すプリントヘッド１は、プロセスカラー印刷を行なうためにプロセスカラーインクを吐出するプロセスカラーインク吐出ヘッド１１〜１４と、放射線硬化インク印刷を行なうために放射線硬化インクを吐出する放射線硬化インク吐出ヘッド１５、そして放射線硬化インクを硬化させるための放射線を放射する放射線発振器１６と、を備えている。
【００３３】
プロセスカラーインク吐出ヘッド１１〜１４は、プロセスカラーであるＫＣＭＹインクを吐出する。図１に示すプリントヘッドは、Ｋ（黒）インクを吐出するノズルを備えたＫインクジェットヘッド１１と、Ｃ（シアン）インクを吐出するノズルを備えたＣインクジェットヘッド１２と、Ｍ（マゼンタ）インクを吐出するノズルを備えたＭインクジェットヘッド１３と、Ｙ（イエロー）インクを吐出するノズルを備えたＹインクジェットヘッド１４と、を備えており、図示しないインクタンクから供給されるプロセスカラーインクを吐出することでプロセスカラーによる印刷を行なう。
【００３４】
図１では、ＫＣＭＹの順序でプロセスカラーインク吐出ヘッド１１〜１４が配置されているが、吐出する色の順序は変更してもよい。
【００３５】
放射線硬化インク吐出ヘッド１５は、スポットカラーとなる放射線硬化インクを吐出する。放射線硬化インクとして、黒インクやグリーン、オレンジ、金などの特色インクを使用することができる。放射線硬化インク吐出ヘッド１５は、図示しないインクタンクから供給を受けた放射線硬化インクを吐出することによりスポットカラー印刷を行なう。
【００３６】
放射線硬化インクとしては、紫外線硬化インク、赤外線硬化インク、電子線硬化インクなどを使用することができる。紫外線硬化インクは、インク吐出後に紫外線を照射することにより光重合反応によって硬化するインクである。赤外線硬化インクは、インク吐出後に赤外線を照射することにより熱硬化するインクである。電子線硬化インクは、インク吐出後に電子線を照射することにより電子線硬化反応によって硬化するインクである。
【００３７】
放射線硬化インクは、放射線を照射されることにより硬化するので、放射線硬化インクによる記録媒体上の印刷像はプロセスカラーインクによる印刷像よりも輪郭がはっきりとしたものとなる。すなわち、プロセスカラーインクが記録媒体に染み込むのに対して、放射線硬化インクは記録媒体に染み込む前に放射線によって記録媒体表面上に硬化されるためである。
【００３８】
そこで、テキストやロゴなどの線画像を放射線硬化インクによって印刷すると、プロセスカラーインクによる印刷よりも画像の細部が明確となり、発色も鮮やかなので、高品質の印刷を行なうことが可能となる。
【００３９】
放射線発振器１６は、放射線硬化インク吐出ヘッド１５が吐出した放射線硬化インクを硬化するための放射線を照射する。放射線発振器１６は、放射線硬化インク１５が吐出する放射線硬化インクに対応した放射線を照射するように備えられており、紫外線硬化インクの場合は紫外線発振器、赤外線硬化インクの場合は赤外線発振器、電子線硬化インクの場合は電子ビーム照射器、などが放射線発振器１６として使用される。
【００４０】
放射線発振器１６は、放射線硬化インクを硬化させるための放射線を照射する際に余熱も放射している。そこで、図１に示しているように、プリントヘッド１において、プロセスカラーインク吐出ヘッド１１〜１４、放射線硬化インク吐出ヘッド１５、放射線発振器１６の順に配置した状態で、記録媒体３を相対的に移動させて印刷を行なうと、プロセスカラーインク吐出、放射線硬化インク吐出、放射線照射の順で記録媒体が走査される。すると、放射線発振器１６によって放射線硬化インクを硬化されるとともに、余熱によりプロセスカラーインクの乾燥も促すことができるので、別途乾燥用のヒーターを備えずとも高速の印刷を行なうことが可能となる。
【００４１】
なお、プロセスカラーインク吐出ヘッド１１〜１４、放射線硬化吐出ヘッド１５は、ピエゾ式、サーマル式、電磁バルブ式など、いずれの吐出ヘッドを採用してもよい。
【００４２】
また、プロセスカラーインク吐出ヘッド１１〜１４、放射線硬化吐出ヘッド１５によるインク吐出手法としては、オンデマンド式、コンティニュアス式のいずれを採用してもよい。
【００４３】
図２は、図１に示したプリントヘッド１を利用して記録媒体３に対して印刷を行なう際の動作を説明するための図である。
【００４４】
図２（ａ）は、プリントヘッド１下に記録媒体３が図示しない搬送手段によって搬送された状態を示している。プリントヘッド１は、最初にＫインクジェットヘッド１１の吐出を行ない、プロセスカラーのＫ印刷が行なわれる。
【００４５】
図２（ｂ）〜（ｄ）は、図示しない搬送手段によってプリントヘッド１の下を記録媒体３が通過していく際に、Ｃインクジェットヘッド１２、Ｍインクジェットヘッド１３、Ｙインクジェットヘッド１４による吐出が行なわれることにより、順次プロセスカラーのＣＭＹ印刷が行なわれた状態を示している。
【００４６】
このように、プリントヘッド１において、Ｋインクジェットヘッド１１、Ｃインクジェットヘッド１２、Ｍインクジェットヘッド１３、Ｙインクジェットヘッド１４が順に配置されていることにより、記録媒体３が搬送されると、該記録媒体３上にＫＣＭＹの順序でプロセスカラーインクによる印刷が行なわれる。
【００４７】
図２（ｅ）は、さらに記録媒体３がプリントヘッド１の下を搬送され、放射線硬化インクジェットヘッド１５による印刷が行なわれた状態を示すためのものである。プリントヘッド１において、放射線硬化インクジェットヘッド１５がプロセスカラーインク吐出ヘッド１１〜１４の後続に配置していることから、プロセスカラー印刷が行なわれた後、黒インクやグリーン、オレンジ、金などの特色インクである放射線硬化インクによるスポットカラー印刷が行なわれることになる。
【００４８】
図２（ｆ）は、放射線硬化インクジェットヘッド１５による印刷が行なわれた記録媒体３がさらに搬送されることで、放射線発振器１６による放射線の照射を受けている状態を示すためのものである。
【００４９】
放射線硬化インクジェットヘッド１５で吐出された放射線硬化インクを硬化させるため、記録媒体３に対して放射線発振器１６による放射線の照射が行なわれる。図示しない搬送手段がプリントヘッド１において記録媒体３を搬送することで、記録媒体３は放射線発振器１６の下部に移動し、放射線の照射がなされる。
【００５０】
ここで、記録媒体３について放射線硬化インクによる印刷の前に、プロセスカラーインクによる印刷が行なわれていることから、プロセスカラーインクによって印刷がなされた部分もまた放射線発振器１６下部を通過することになる。放射線発振器１６は放射線の照射とともに余熱を放出しているので、記録媒体３上に吐出されたプロセスカラーインクは放射線発振器１６の余熱によって乾燥し、印刷像が記録媒体３に定着する。
【００５１】
記録媒体３はさらに搬送され、続けて放射線硬化インクによって印刷がなされた部分が放射線発振器１６の下部を通過する。吐出された放射線硬化インクは、放射線発振器１６によって照射された放射線によって記録媒体３上で硬化することにより印刷像を形成する。
【００５２】
このように、本発明に関わるプリントヘッド１の下部に記録媒体３が搬送されると、プロセスカラーインク及び放射線硬化インクが吐出されることで印刷像を形成する。この際にプロセスカラー印刷とスポットカラー印刷とが併せて行なわれ、しかも放射線発振器１６によって放射線硬化インクの硬化が行なわれるとともに、プロセスカラーインクの乾燥が促進されるので、高品質かつ高速な印刷を実現することが可能となる。
【００５３】
図３は、本発明におけるプリントヘッドをワンパスタイプのインクジェットプリンタに適用した場合を説明するための図である。ワンパスタイプインクジェットプリンタとは、一度のプリントヘッド走査で記録媒体上に印刷画像を形成するため、プリントヘッドが搬送される記録媒体の横幅よりも長い幅長であることを特徴としている。
【００５４】
図３に示すプリントヘッド１ａは、支持部２により図示しないインクジェットプリンタ筐体に支持されており、ライン状に配列されたプロセスカラーインク吐出ヘッド群１１ａ〜１４ａ、同様にライン状に配列された放射線硬化インク吐出ヘッド群１５ａ、および放射線発振器１６ａを備えている。
【００５５】
プロセスカラーインク吐出ヘッド群１１ａ〜１４ａ、放射線硬化インク吐出ヘッド群１５ａは、各々複数のプロセスカラーインク吐出ヘッド、放射線硬化インク吐出ヘッドが配置されたものである。プロセスカラーインク吐出ヘッド群１１ａ〜１４ａ、放射線硬化インク吐出ヘッド群１５ａの幅長は記録媒体３の幅長よりも長いように構成されている。このようなプロセスカラーインク吐出ヘッド群１１ａ〜１４ａ、放射線硬化インク吐出ヘッド群１５ａが、記録媒体３の移動方向に対して直交するように配置されているので、記録媒体３がプリントヘッド１ａ下を通過することにより、一度のプリントヘッド走査で記録媒体上に印刷画像が形成される。
【００５６】
放射線発振器１６ａもまた、記録媒体３の幅長よりも長く、直交するように配置されている。これにより、プロセスカラーインク吐出ヘッド群１１ａ〜１４ａ、放射線硬化インク吐出ヘッド群１５ａによって吐出されたインクを乾燥および硬化させる。
【００５７】
図３に示したプリントヘッド１ａを使用したインクジェットプリンタは、ワンパス方式を採用していることにより、一度の走査で記録媒体３に対して印刷を行なうことができ、この際にプロセスカラー印刷とスポットカラー印刷とが併せて行なわれ、しかも放射線発振器１６によってプロセスカラーインクの乾燥が行なわれるとともに、放射線硬化インクの硬化も行われるので、高品質かつ高速な印刷を実現することが可能となる。
【００５８】
図４は、本発明におけるプリントヘッドをシャトルタイプのインクジェットプリンタに適用した場合を説明するための図である。シャトルタイプインクジェットプリンタとは、走査する際にプリントヘッドが記録媒体上を往復することにより、印刷画像を形成するタイプのプリンタである。
【００５９】
図４に示すプリントヘッド１ｂは、支持部２により図示しないインクジェットプリンタ筐体に支持されており、プロセスカラーインク吐出ヘッド１１ｂ〜１４ｂ、放射線硬化インク吐出ヘッド群１５ｂ、および放射線発振器１６ｂを備えている。
【００６０】
なお、プロセスカラーインク吐出ヘッド１１ｂ〜１４ｂ、放射線硬化インク吐出ヘッド群１５ｂ、および放射線発振器１６ｂについては、図１の説明と同様なので説明を省略する。
【００６１】
プリントヘッド１ｂは、図示しない搬送手段により搬送される記録媒体３上を、記録媒体移動方向と直交する方向に往復動作可能なように支持部２によって支持されている。プリントヘッド１ｂを往復動作させる機構としては、ボールネジによる駆動、リニアモータによる駆動、チェーン駆動などを適宜採用することが可能である。
【００６２】
図４に示したプリントヘッド１ｂを使用したインクジェットプリンタは、シャトル方式を採用していることにより、記録媒体３に対して往復動することで印刷を行なう際に、プロセスカラー印刷とスポットカラー印刷とが合わせて行なわれ、しかも放射線発振器１６ｂによってプロセスカラーインクの乾燥が行なわれるとともに、放射線硬化インクの硬化も行われるので、高品質かつ高速な印刷を実現することが可能となる。
【００６３】
図３、図４に示したように、本発明に関わるプリントヘッド１はワンパス方式、シャトル方式いずれにも使用することができるので、記録媒体３に対してプロセスカラー印刷とスポットカラー印刷とが併せて行なわれ、しかも放射線発振器１６によってプロセスカラーインクの乾燥が行なわれるとともに、放射線硬化インクの硬化も行われるので、高品質かつ高速な印刷を実現することが可能となる。
【実施例２】
【００６４】
次に、図５および図６を参照して、本発明の第２実施形態について説明する。
【００６５】
第２実施形態は、プロセスカラー印刷インクジェットヘッドと、放射線硬化インク印刷インクジェットヘッド、放射線発振器とを備えたプリントヘッドを有するインクジェットプリンタと、該インクジェットプリンタを制御するコントローラと、からなる印刷システムである。
【００６６】
図５は、印刷システム１０００を説明するための図である。図示しているように、印刷システム１０００は、コントローラ１００とインクジェットプリンタ１０とから構成されている。コントローラ１００とインクジェットプリンタ１０とは、通信線ＴＳにより通信可能に接続されている。
【００６７】
〈コントローラの説明〉
コントローラ１００は、一般的に使用されているパーソナルコンピュータであり、ＣＰＵ１０１、表示部１０２、入力部１０３、ネットワークＩ／Ｆ１０４、メディアドライブ１０５、記憶部１０６、メモリ１０７より構成されている。
【００６８】
ＣＰＵ１０１は、印刷システム１０００全体を制御し、特に、メディアドライブ１０５に挿入されたメディアディスク１０８に記録されているプログラムＰをメモリ１０７において実行することによって、コントローラ１００の機能を実現している。
【００６９】
表示部１０２は、コントローラ１００をオペレータが制御するために必要な情報を表示するために使用される。入力部１０３は、マウスやキーボードで構成されており、コントローラ１００に対してオペレータが指示を入力するために使用する。
【００７０】
ネットワークＩ／Ｆ１０４は、コントローラ１００と図示しない他の機器等とをネットワークを介して相互に接続させるためのものである。ネットワークＩ／Ｆ１０４を介して、コントローラ１００はネットワークに接続されている図示しない端末から印刷を行なうためのデータである印刷所望データＰＷＤを受信することができる。
【００７１】
また、図示しないサーバより、コントローラ１００の機能を実現するプログラムＰをダウンロードすることも可能である。さらに、インクジェットプリンタ１０がネットワークを介してコントローラ１００と接続されている場合には、このネットワークＩ／Ｆ１０４を介して、コントローラ１００はインクジェットプリンタ１０に印刷データＰＤを送信する。
【００７２】
メディアドライブ１０５は、メディアディスク１０８に記録されているプログラムＰを読み取るために使用する。メディアドライブ１０５で読み取られたプログラムＰにより、コントローラ１００の機能が実現される。
【００７３】
また、メディアディスク１０８に記録された印刷所望データＰＷＤを取得するために、メディアドライブ１０５を使用してもよい。
【００７４】
記憶部１０６は、メディアドライブ１０５で読み取られたプログラムＰを格納する。また、記憶部１０６は、インクジェットプリンタ１０によって印刷を行なうためのデータを一時的に格納する。
【００７５】
メモリ１０７は、記憶部１０６によって記憶されたプログラムＰをＣＰＵ１０１が実行するためのワークエリアである。ＣＰＵ１０１によってプログラムＰが実行された結果、メモリ１０７において、印刷機制御部１０７１、ＲＩＰ（Ｒａｓｔｅｒ  Ｉｍａｇｅ  Ｐｒｏｃｅｓｓｏｒ）部１０７２、出力部１０７３の機能が実現する。
【００７６】
印刷機制御部１０７１は、コントローラ１００と通信可能に接続されているインクジェットプリンタ１０の制御を行なう。印刷機制御部１０７１は、インクジェットプリンタ１０の状態、例えば通電されているかどうか、トラブルが発生しているかどうか、などの情報を取得する。また、インクジェットプリンタ１０が稼動状態にあるならば、印刷機制御部１０７１は、印刷に使用可能なインクの種類、印刷用紙が装填されているか、などについて通信線ＴＳを通じて制御のために必要な情報を取得する。特に、印刷に使用可能なインクの種類については、インクジェットプリンタ１０において使用されるインクがＹＭＣＫのプロセスカラーインクと、放射線硬化型のスポットカラーインクであるかどうか、さらに、スポットカラーインクが使用可能である場合は、そのスポットカラーインクの色が何であるか、についての情報が含まれる。
【００７７】
また、通信線ＴＳを介して、印刷機制御部１０７１はインクジェットプリンタ１０に対してさまざまな制御情報、例えば印刷処理、インクジェットヘッドのクリーニングなどの実行情報を送信することによりインクジェットプリンタ１０を制御する。
【００７８】
ラスタライズ処理を行うＲＩＰ部１０７２は、コントローラ１００が取得した印刷所望データＰＷＤに基づいて、インクジェットプリンタ１０で印刷を行なうための印刷データＰＤを作成する。そのために、ＲＩＰ部１０７２は、ＰＤＬ分析部１０７２ａ、分版分析部１０７２ｂ、印刷データ作成部１０７２ｃを備えている。
【００７９】
ＲＩＰ部１０７２は、印刷所望データＰＷＤがページ記述言語で記述されたページデータであった場合にＰＤＬ分析部１０７２ａで処理を行ない、印刷所望データＰＷＤが分版データであった場合に分版分析部１０７２ｂで処理を行なう。
【００８０】
ＰＤＬ分析部１０７２ａは、ネットワークＩ／Ｆ１０４を介してコントローラ１００が取得した印刷所望データＰＷＤがＰｏｓｔＳｃｒｉｐｔ（ＡＤＯＢＥ社の登録商標）、ＰＤＦなどのページ記述言語（ＰＤＬ）で記述されたページデータＰＬＤであった場合、該ページデータＰＬＤの記述を解釈して、後述するインクジェットプリンタ１０における印刷の際、プロセスカラーインク吐出ヘッドと放射線硬化インク吐出ヘッドによる印刷を行なうための中間データを生成する。
【００８１】
ＰＤＬ分析部１０７２ａは、印刷機制御部１０７１によって、インクジェットプリンタ１０が放射線硬化インクによるスポットカラーであって「黒色」による印刷が可能な場合、ページデータＰＬＤの記述を解釈し、画像部分の記述とテキスト部分の記述とを分離する。ＰＤＬ分析部１０７２ａは、画像部分の記述に関わる印刷を行なうためのプロセスカラー印刷中間データＭＤｐを作成し、テキスト部分の記述に関わる印刷を行なうためのスポットカラー印刷中間データＭＤｓを作成する。
【００８２】
分版分析部１０７２ｂは、ネットワークＩ／Ｆ１０４を介してコントローラ１００が取得した印刷所望データＰＷＤが既にＹＭＣＫのプロセスカラー版および特色などのスポットカラー版に分版された１ｂｉｔＴＩＦＦ形式などの分版データＢＤであった場合、該分版データＢＤの版の種類に基づいて、後述するインクジェットプリンタ１０における印刷の際、プロセスカラーインク吐出ヘッドと放射線硬化インク吐出ヘッドによる印刷を行なうための中間データを生成する。
【００８３】
分版分析部１０７２ｂは、印刷機制御部１０７１によって、インクジェットプリンタ１０が放射線硬化インクによるスポットカラーであって「特色」による印刷が可能な場合、分版データＢＤの版の種類に基づいて、ＹＭＣＫのプロセスカラー版データＢＤｐと、特色のスポットカラー版データＢＤｓとに分離する。分版分析部１０７２ｂは、プロセスカラー版データＢＤｐについて、プロセスカラー印刷中間データＭＤｐを作成する。一方、分離されたスポットカラー版データＢＤｓについて、分版分析部１０７２ｂは、スポットカラー版データＢＤｓにおける色と、インクジェットプリンタ１０で使用されている色とが一致しているか否かを判定し、一致している場合にはスポットカラー印刷中間データＭＤｓを作成する。一致していない場合は、分版分析部１０７２ｂがスポットカラー版データＢＤｓをプロセスカラー版データＢＤｐに再変換する。
【００８４】
ここで、プロセスカラー印刷中間データＭＤｐおよびスポットカラー印刷中間データＭＤｓとは、ＰＤＬ分析部１０７２ａがページデータＰＬＤをラスタライズ処理して得られたビットマップデータ、あるいは分版分析部１０７２ｂが分版データＢＤをラスタライズ処理して得られたビットマップデータである。
【００８５】
印刷データ作成部１０７２ｃは、プロセスカラー印刷中間データＭＤｐおよびスポットカラー印刷中間データＭＤｓに対してスクリーニング処理、カラーコレクション処理などを行なって、プロセスカラー印刷データＰＤｐ、およびスポットカラー印刷データＰＤｓと、を含む印刷データＰＤを作成する。
【００８６】
出力部１０７３は、印刷データ作成部１０７２ｃが作成した印刷データＰＤを、通信線ＴＳを介してインクジェットプリンタ１０へ出力する。
【００８７】
〈インクジェットプリンタの説明〉
インクジェットプリンタ１０は、制御部１０ａ、インクジェットヘッド駆動部１０ｂ、放射線発振器駆動部１０ｃ、プリントヘッド１０ｄと、を備えている。
【００８８】
制御部１０ａが、インクジェットヘッド１０を制御する。制御部１０ａは、コントローラ１００による制御のために必要な情報として、インクジェットプリンタ１０の稼動状態、使用可能なインクの種類、印刷用紙の装填状況などの情報を、通信線ＴＳを介してコントローラ１００に送信する。
【００８９】
また、制御部１０ａは、コントローラ１００から送信された印刷データＰＤに基づいて、インクジェットヘッド駆動部１０ｂを制御するためのインクジェットヘッド制御信号ＩＤおよび放射線発振器駆動部１０ｃを制御するための放射線発振器制御信号ＤＤを作成する。
【００９０】
インクジェットヘッド制御信号ＩＤは、制御部１０ａによって、印刷データＰＤに含まれるプロセスカラー印刷データＰＤｐおよびスポットカラー印刷データＰＤｓと、に基づいて作成される信号である。
【００９１】
制御部１０ａは、プロセスカラー印刷データＰＤｐに格納されている画像を表現するための画素データの有無、およびスポットカラー印刷データＰＤｓに格納されている画像を構成する画素データの有無に基づいて、インクジェットヘッド制御信号ＩＤを作成する。作成したインクジェットヘッド制御信号ＩＤを、制御部１０ａは制御線ＳＳを介してインクジェットヘッド駆動部１０ｂへ転送する。
【００９２】
放射線発振器制御信号ＤＤは、スポットカラー印刷を行なう場合に、放射線硬化型インクを硬化させるため、プリントヘッド１０ｄに付属している放射線発振器を駆動させるための信号である。
【００９３】
制御部１０ａが、印刷データＰＤにスポットカラー印刷ＰＤｓが含まれていることを認識した場合、制御部１０ａは放射線発振器制御信号ＤＤを作成して、制御線ＳＳを介して放射線発振器駆動部１０ｃへ転送する。
【００９４】
インクジェットヘッド駆動部１０ｂは、インクジェットヘッド制御信号ＩＤに基づいて、プリントヘッド１０ｄに配置されたインクジェットヘッドを駆動する。
【００９５】
インクジェットヘッド駆動部１０ｂによってプリントヘッド１０ｄに配置されたプロセスカラーインクジェットヘッド１０ｄｋ、１０ｄｃ、１０ｄｍ、１０ｄｙにおけるインク吐出制御が行なわれることにより、記録媒体３にプロセスカラー印刷データＰＤｐによって表現される画像が印刷される。
【００９６】
また、インクジェットヘッド駆動部１０ｂによってプリントヘッド１０ｄに配置されたスポットカラーインクジェットヘッド１０ｄｓにおけるインク吐出制御が行なわれることにより、記録媒体３にスポットカラー印刷データＰＤｓによって表現される画像が印刷される。
【００９７】
放射線発振器駆動部１０ｃは、放射線発振器制御信号ＤＤに基づいて、プリントヘッド１０ｄに配置された放射線発振器を駆動する。
【００９８】
放射線発振器駆動部１０ｃによってプリントヘッド１０ｄに配置された放射線発振器１０ｄｌが放射線を発振することで、スポットカラーインクジェットヘッド１０ｄｓから吐出された記録媒体３上のインクの硬化が行われる。それとともに、放射線発振器１０ｄｌの放射線発振時の余熱で、プロセスカラーインクジェットヘッド１０ｄｋ、１０ｄｃ、１０ｄｍ、１０ｄｙから記吐出された記録媒体３上のインクの乾燥が促進される。
【００９９】
プリントヘッド１０ｄは、支持部２により図示しないインクジェットプリンタ１０の筐体に支持されている。プリントヘッド１０ｄは、図示しない搬送手段によって搬送される記録媒体３に対して印刷を行なうために、プロセスカラーインクジェットヘッド１０ｄｋ、１０ｄｃ、１０ｄｍ、１０ｄｙ、スポットカラーインクジェットヘッド１０ｄｓ、および放射線発振器１０ｄｌを備えている。
【０１００】
プリントヘッド１０ｄでは、記録媒体３に対して、プロセスカラーインクジェットヘッド群（プロセスカラーインクジェットヘッド１０ｄｋ、１０ｄｃ、１０ｄｍ、１０ｄｙ）、およびスポットカラーインクジェットヘッド１０ｄｓ、放射線発振器１０ｄｌの順序で配置されている。
【０１０１】
プロセスカラーインクジェットヘッド１０ｄｋ、１０ｄｃ、１０ｄｍ、１０ｄｙは、プロセスカラー印刷データＰＤｐに基づく印刷を行なうため、図示しないインクタンクから供給される黒、シアン、マゼンダ、イエローインクを記録媒体３に対して吐出するインクジェットノズルをそれぞれ備えている。プロセスカラーインクジェットヘッド１０ｄｋ、１０ｄｃ、１０ｄｍ、１０ｄｙがインクジェットヘッド駆動部１０ｂによって駆動され、インク吐出の制御が行なわれることに拠り、記録媒体３に対してプロセスカラー印刷が行なわれる。
【０１０２】
スポットカラーインクジェットヘッド１０ｄｓは、スポットカラー印刷データＰＤｓに基づく印刷を行なうため、図示しないインクタンクから供給される放射線硬化型インクを記録媒体３に対して吐出するインクジェットノズルを備えている。スポットカラーインクジェットヘッド１０ｄｓがインクジェットヘッド駆動部１０ｂによって駆動され、インク吐出の制御が行なわれることに拠り、記録媒体３に対してスポットカラー印刷が行なわれる。
【０１０３】
プロセスカラーインクジェットヘッド１０ｄｋ、１０ｄｃ、１０ｄｍ、１０ｄｙ、およびスポットカラーインクジェットヘッド１０ｄｓにおけるインク吐出技術としては、ピエゾ方式、サーマル方式、電磁バルブ式等、所望の技術が採用可能である。
【０１０４】
放射線発振器１０ｄｌは、スポットカラーインクジェットヘッド１０ｄｓによって吐出された放射線硬化型インクを硬化させるための放射線を発振する。放射線発振器１０ｄｌは、放射線発振器制御信号ＤＤに基づいて、スポットカラー印刷が行なわれる場合はインクを硬化させるための放射線を発振し、プロセスカラーのみの印刷が行なわれる場合は放射線の発振を行なわない。
【０１０５】
なお、インクジェットプリンタ１０におけるプリントヘッド１０ｄは、シャトル方式、ワンパス方式いずれを採用していてもよい。
【０１０６】
図６は、印刷システム１０００の動作を説明するためのフローチャートである。
【０１０７】
ステップＳ１において、印刷システム１０００のコントローラ１００が印刷所望データＰＷＤを取得する。コントローラ１００は、ネットワークＩ／Ｆ１０４を介して印刷所望データＰＷＤを取得するか、あるいはメディアドライブ１０５に挿入されたメディアディスク１０８に記録された印刷所望データＰＷＤを取得する。
【０１０８】
ステップＳ２で、取得した印刷所望データＰＷＤがページ記述言語で記述されたページデータＰＬＤか、既にＹＭＣＫのプロセスカラー版および特色などのスポットカラー版に分版された分版データＢＤか、を判定する。
【０１０９】
ＲＩＰ処理を行なうために、コントローラ１００のＣＰＵ１０１が、印刷所望データＰＷＤをＲＩＰ部１０７２に転送する。ＲＩＰ部１０７２は、転送された印刷所望データＰＷＤがページデータＰＬＤであるか、分版データＢＤであるかを判定し、ページデータＰＬＤであった場合ステップＳ３へ移行し、分版データＢＤであった場合ステップＳ５へ移行する。
【０１１０】
ステップＳ２における判定で、印刷所望データＰＷＤがページデータＰＬＤと判定された場合、ステップＳ３において、ＰＤＬ分析部１０７２ａが、印刷機制御部１０７１により取得されたインクジェットプリンタ１０の情報に基づいて、放射線硬化インクによるスポットカラー「黒色」による印刷が可能かどうか判断する。
【０１１１】
ＰＤＬ分析部１０７２ａが、スポットカラー「黒色」による印刷が不可能であると判断した場合、ステップＳ７へ移行する。そして、ＰＤＬ分析部１０７２ａは、ページデータＰＬＤに対して通常のＲＩＰ処理を行ない、プロセスカラーによる印刷を行なうためのページ全体を表現する印刷中間データを作成する。
【０１１２】
一方、ＰＤＬ分析部１０７２ａが、スポットカラー「黒色」による印刷が可能であると判断した場合、ステップＳ４へ移行する。そして、ＰＤＬ分析部１０７２ａは、ページデータＰＬＤの記述を解釈して、画像部分の記述とテキスト部分の記述とを分離し、画像部分の記述に関わる印刷を行なうためのプロセスカラー印刷中間データＭＤｐ、およびテキスト部分の記述に関わる印刷を行なうためのスポットカラー印刷中間データＭＤｓを作成する。
【０１１３】
ＰＤＬ分析部１０７２ａによる、プロセスカラー印刷中間データＭＤｐ、スポットカラー印刷中間データＭＤｓの作成が終了したならば、ステップＳ８へ移行する。
【０１１４】
ステップＳ２における判定で、印刷所望データＰＷＤが分版データＢＤと判定された場合、ステップＳ５において、分版分析部１０７２ｂが、印刷機制御部１０７１により取得されたインクジェットプリンタ１０の情報に基づいて、放射線硬化インクによるスポットカラー「特色」による印刷が可能かどうか判断する。
【０１１５】
分版分析部１０７２ｂが、インクジェットプリンタ１０がスポットカラー「特色」を備えていないと判断した場合、あるいはインクジェットプリンタ１０が備えるスポットカラー「特色」インクの色と分版データＢＤにおける特色版の「特色」とが同一色でないと判断した場合、ステップＳ７へ移行し、分版分析部１０７２ｂは、分版データＢＤの特色版をプロセスカラー版に変換することにより、分版データＢＤに対して通常のＲＩＰ処理を行なうことでプロセスカラーによる印刷を行なうための印刷中間データを作成する。
【０１１６】
なお、分版データＢＤに特色版が存在しない場合もまた、ステップＳ７へ移行する。
【０１１７】
一方、分版分析部１０７２ｂが、スポットカラー「特色」による印刷を行なえると判断した場合、ステップＳ６へ移行し、分版分析部１０７２ｂは、分版データＢＤの版の種類に基づいてＹＭＣＫのプロセスカラー版データＢＤｐ、および特色のスポットカラー版データＢＤｓとに分離する。分版分析部１０７２ｂは、プロセスカラー版データＢＤｓからプロセスカラー印刷中間データＭＤｐを作成し、スポットカラー版データＢＤｓからスポットカラー印刷中間データＭＤｓを作成する。
【０１１８】
分版分析部１０７２ｂによる、プロセスカラー印刷中間データＭＤｐ、スポットカラー印刷中間データＭＤｓの作成が終了したならば、ステップＳ８へ移行する。
【０１１９】
ステップＳ８では、印刷データ作成部１０７２ｃが、プロセスカラー印刷中間データＭＤｐおよびスポットカラー印刷中間データＭＤｓに対してスクリーニング処理、カラーコレクション処理などを行なって、プロセスカラー印刷データＰＤｐ、およびスポットカラー印刷データＰＤｓと、を含む印刷データＰＤを作成する。
【０１２０】
作成された印刷データＰＤは、出力部１０７３により、通信線ＴＳを介してインクジェットプリンタ１０へ出力される。インクジェットプリンタ１０は、取得した印刷データＰＤに基づいて、制御部１０ａがインクジェットヘッド制御信号ＩＤおよび放射線発振器制御信号ＤＤを作成する。
【０１２１】
制御部１０ａは、インクジェットヘッド制御信号ＩＤおよび、放射線発振器制御信号ＤＤを、制御線ＳＳを介して、インクジェットヘッド駆動部１０ｂおよび放射線発振器駆動部１０ｃへ転送する。
【０１２２】
インクジェットヘッド駆動部１０ｂは、インクジェットヘッド制御信号ＩＤに基づいて、プリントヘッド１０ｄに配置されたプロセスカラーインクジェットヘッド１０ｄｋ、１０ｄｃ、１０ｄｍ、１０ｄｙ、およびスポットカラーインクジェットヘッド１０ｄｓからそれぞれインクを吐出させることにより、記録媒体３に印刷を行なう。
【０１２３】
また、放射線発振器駆動部１０ｃが、放射線発振器制御信号ＤＤに基づいて、プリントヘッド１０ｄに備えられた放射線発振器１０ｄｌを駆動して、スポットカラーインクジェットヘッド１０ｄｓから吐出された放射線硬化インクの硬化が行われるとともに、該放射線発振器１０ｄｌの余熱により、プロセスカラーインクジェットヘッド１０ｄｋ、１０ｄｃ、１０ｄｍ、１０ｄｙから吐出されたインクの乾燥が促進される。
【０１２４】
インクジェットプリンタ１０の印刷が行なわれたならば、ステップＳ９へ移行し、ＣＰＵ１０１は印刷所望データＰＷＤが残っているか否かを判定し、印刷所望データＰＷＤが残っている場合、ステップＳ１へ帰還して、コントローラ１００はこれまで説明した動作を繰り返し行なう。
【０１２５】
このように、図５に示した印刷システム１０００が、図６に示したフローチャートのように動作することにより、記録媒体３に対してプロセスカラー印刷とスポットカラー印刷とが併せて行なわれ、しかも放射線発振器１０ｄｌによって放射線硬化インクの硬化が行なわれるとともに、プロセスカラーインクの乾燥が促進されるので、高品質かつ高速な印刷を実現することが可能となる。
【０１２６】
〈変形例〉
これまでの説明では、印刷所望データＰＷＤが、ページデータＰＬＤ乃至分版データＢＤのいずれかであるように説明を行なってきたが、印刷所望データＰＷＤがページデータＰＬＤおよび分版データＢＤを共に含んでいるような形式でも、印刷システム１０００における処理は可能である。
【０１２７】
例えば、印刷所望データＰＷＤによって所望される印刷物が、通常のプロセスカラー印刷が行なわれるページについてはページデータＰＬＤで表現されており、スポットカラー印刷が行なわれるロゴなどの線画部分について分版データＢＤで表現されている場合、印刷システム１０００のコントローラ１００は、印刷所望データＰＷＤに含まれるページデータＰＬＤをＰＤＬ分析部１０７２ａで解釈してプロセスカラー印刷中間データＭＤｐを作成し、印刷所望データＰＷＤに含まれる特色版の分版データＢＤｓに基づいて分版分析部１０７２ｂがスポットカラー印刷中間データＭＤｓを作成するような処理を行なうことで、印刷所望データＰＷＤがページデータＰＬＤおよび分版データＢＤを共に含んでいるような形式でも、印刷システム１０００における処理を実行することができる。
【符号の説明】
【０１２８】
１、１ａ、１ｂ、１０ｄ  インクジェットヘッド
２  支持部
３  記録媒体
１０  インクジェットプリンタ
１０ａ  制御部
１０ｂ  インクジェットヘッド駆動部
１０ｃ  放射線発振器駆動部
１１〜１４、１１ａ〜１４ａ、１１ａ〜１４ｂ、１０ｄｋ、１０ｄｃ、１０ｄｍ、１０ｄｙ  プロセスカラーインク吐出ヘッド
１５、１５ａ、１５ｂ、１０ｄｓ  放射線硬化インク吐出ヘッド
１６、１６ａ、１６ｂ、１０ｄｌ  放射線発振器
１００  コントローラ
１０１  ＣＰＵ
１０４  ネットワークＩ／Ｆ
１０５  メディアドライブ
１０６  記憶部
１０７  メモリ
１０８  メディアディスク
１０００  印刷システム
１０７１  ＲＩＰ部
１０７１ａ  ＰＤＬ分析部
１０７１ｂ  分版分析部
１０７１ｃ  印刷データ作成部
１０７２  出力部
プログラム  Ｐ
分版データ  ＢＤ
プロセスカラー分版データ  ＢＤｐ
スポットカラー分版データ  ＢＤｓ
放射線発振器制御信号  ＤＤ
インクジェットヘッド制御信号  ＩＤ
プロセスカラー印刷中間データ  ＭＤｐ
スポットカラー印刷中間データ  ＭＤｓ
ページデータ  ＰＬＤ
印刷所望データ  ＰＷＤ
制御線  ＳＳ
通信線  ＴＳ
【図１】
2010214761.tif 000003
【図２】
2010214761.tif 000004
【図３】
2010214761.tif 000005
【図４】
2010214761.tif 000006
【図５】
2010214761.tif 000007
【図６】
2010214761.tif 000008